(57)【特許請求の範囲】
【請求項１】
情報を送信する送信端末と、情報を受信する受信端末と、前記受信端末と通信可能な周辺機器と、前記周辺機器を管理する機器管理サーバと、コンテンツを管理するコンテンツサーバと、を備える表示システムであって、
前記送信端末は、
前記受信端末に自己の固有情報を送信する第１の送信手段を備え、
前記受信端末は、
前記受信端末と通信可能である前記周辺機器を検索する機器検索手段と、
前記検索された周辺機器に、前記送信端末から受信した前記送信端末と自己の固有情報とを送信する第２の送信手段と、
を備え、
前記周辺機器は、
前記受信端末から受信した前記送信端末および前記受信端末の固有情報、自己の種類を特定する機器情報、および自己の固有情報を前記コンテンツサーバに送信する第３の送信手段を備え、
前記機器管理サーバは、
前記周辺機器の機器情報と前記受信端末の固有情報とを対応付けて記憶する機器情報記憶部を備え、
前記コンテンツサーバは、
前記送信端末の固有情報、前記受信端末の固有情報、およびコンテンツあるいはコンテンツに関する情報を対応付けて記憶する記憶手段と、
前記周辺機器から受信した、前記周辺機器の機器情報と前記受信端末の固有情報とを前記機器管理サーバに送信し、前記周辺機器の機器情報と前記受信端末の固有情報との組み合わせが、前記機器管理サーバの機器情報記憶部に存在するか否かにより、前記周辺機器の認証を行う認証手段と、
前記認証された周辺機器から受信した前記送信端末および前記受信端末の固有情報に基づいて、前記記憶手段からコンテンツあるいはコンテンツに関する情報を検索する検索手段と、
前記検索されたコンテンツあるいはコンテンツに関する情報を、前記認証された周辺機器の固有情報に基づき、前記認証された周辺機器に送信する第４の送信手段と、
を備え、
前記認証された周辺機器が取得したコンテンツを表示することを特徴とする表示システム。
【請求項２】
前記認証された周辺機器が複数である場合に、所定の条件に基づいて、前記コンテンツあるいはコンテンツに関する情報を表示する前記周辺機器を決定する決定手段を備えたことを特徴とする請求項１に記載の表示システム。
【請求項３】
前記機器管理サーバは、あらかじめ定められた優先順位を前記機器情報と対応付けて記憶するとともに、前記コンテンツサーバの認証手段は、前記認証された周辺機器の前記優先順位を取得し、
前記決定手段は、前記取得された優先順位に基づいて、前記コンテンツを表示する前記周辺機器を決定することを特徴とする請求項２に記載の表示システム。
【請求項４】
情報を送信する送信端末と、情報を受信する受信端末と、前記受信端末と通信可能な周辺機器と、地図情報を管理する地図情報サーバと、端末情報を管理する端末管理サーバと、を備える表示システムであって、
前記送信端末は、
前記受信端末に自己の固有情報を送信するとともに、前記受信端末に前記固有情報を送信した後に、前記端末管理サーバに自己および前記受信端末の固有情報と自己の位置情報とを送信する第１の送信手段を備え、
前記受信端末は、
前記送信端末から受信した前記送信端末および自己の固有情報を前記周辺機器に送信する第２の送信手段を備え、
前記周辺機器は、
前記受信端末から受信した前記送信端末および前記受信端末の固有情報と自己の固有情報とを前記端末管理サーバに送信する第３の送信手段を備え、
前記端末管理サーバは、
前記送信端末から受信した、前記送信端末の固有情報、前記受信端末の固有情報、および位置情報を対応付けて記憶する記憶手段と、
前記周辺機器から受信した前記送信端末および前記受信端末の固有情報に基づいて、前記記憶手段から位置情報を検索する検索手段と、
前記地図情報サーバに、前記検索された位置情報と前記周辺機器の固有情報とを送信する第４の送信手段と、
を備え、
前記地図情報サーバは、
前記端末管理サーバから受信した位置情報に基づいて、地図情報を取得する取得手段と、
前記端末管理サーバから受信した前記周辺機器の固有情報に基づき、前記取得した地図情報を前記周辺機器に送信する第５の送信手段と、
を備え、
前記周辺機器が前記地図情報サーバから取得した地図情報を表示することを特徴とする表示システム。
【請求項５】
情報を送信する送信端末と、情報を受信する受信端末と、前記送信端末と通信可能な送信側周辺機器と、前記受信端末と通信可能な受信側周辺機器と、端末情報を管理する端末管理サーバと、音声情報に対し音声認識処理を行い、文字列に変換する音声認識サーバと、を備える表示システムであって、
前記送信端末は、
前記受信端末に自己の固有情報を送信するとともに、前記送信側周辺機器に自己および前記受信端末の固有情報を送信する第１の送信手段を備え、
前記送信側周辺機器は、
前記送信端末から受信した前記送信端末および前記受信端末の固有情報と自己の固有情報とを前記端末管理サーバに送信するとともに、前記端末管理サーバから受信した前記音声認識サーバのＩＰアドレスを前記送信端末に送信する第２の送信手段を備え、
前記受信端末は、
前記送信端末から受信した前記送信端末の固有情報と自己の固有情報とを前記受信側周辺機器に送信する第３の送信手段を備え、
前記受信側周辺機器は、
前記受信端末から受信した前記送信端末および前記受信端末の固有情報と自己の固有情報とを前記端末管理サーバに送信するとともに、前記端末管理サーバから受信した前記音声認識サーバのＩＰアドレスを前記受信端末に送信する第４の送信手段を備え、
前記端末管理サーバは、
前記送信側周辺機器から受信した、前記送信端末の固有情報、前記受信端末の固有情報、前記送信側周辺機器の固有情報、および前記音声認識サーバのＩＰアドレスを対応付けて記憶する記憶手段と、
前記受信側周辺機器から受信した前記送信端末および前記受信端末の固有情報に基づいて、前記記憶手段から前記送信側周辺機器の固有情報を検索する検索手段と、
前記検索された送信側周辺機器の固有情報に基づき、前記記憶手段の音声認識サーバのＩＰアドレスを前記送信側周辺機器に送信し、前記受信側周辺機器の固有情報に基づき、前記記憶手段の前記音声認識サーバのＩＰアドレスを前記受信側周辺機器に送信し、さらに、前記音声認識サーバに前記送信側周辺機器および前記受信側周辺機器の固有情報を送信する第５の送信手段と、
を備え、
前記音声認識サーバは、
前記送信端末または前記受信端末から受信した音声情報に対し、音声認識処理を行い、文字列に変換する変換手段と、
前記端末管理サーバから受信した前記送信側周辺機器および前記受信側周辺機器の固有情報に基づいて、前記変換された文字列を前記送信側周辺機器および前記受信側周辺機器に送信する第６の送信手段と、
を備え、
前記送信側周辺機器と前記受信側周辺機器とに前記変換された文字列を表示することを特徴とする表示システム。
【請求項６】
情報を送信する送信端末と、情報を受信する受信端末と、前記送信端末と通信可能な送信側周辺機器と、前記受信端末と通信可能な受信側周辺機器と、端末情報を管理する端末管理サーバと、音声情報に対し音声認識処理を行い、文字列に変換する音声認識サーバと、を備える表示システムであって、
前記送信端末は、
前記受信端末に自己の固有情報を送信するとともに、前記送信側周辺機器に自己および前記受信端末の固有情報を送信する第１の送信手段を備え、
前記送信側周辺機器は、
前記送信端末から受信した前記送信端末および前記受信端末の固有情報と自己の固有情報とを前記端末管理サーバに送信するとともに、前記端末管理サーバから接続要求を受信したことに応じて、あらかじめ記憶している音声認識サーバのＩＰアドレスを前記送信端末に送信する第２の送信手段を備え、
前記受信端末は、
前記送信端末から受信した前記送信端末の固有情報と自己の固有情報とを前記受信側周辺機器に送信する第３の送信手段を備え、
前記受信側周辺機器は、
前記受信端末から受信した前記送信端末および前記受信端末の固有情報と自己の固有情報とを前記端末管理サーバに送信するとともに、前記端末管理サーバから接続要求を受信したことに応じて、あらかじめ記憶している前記音声認識サーバのＩＰアドレスを前記受信端末に送信する第４の送信手段を備え、
前記端末管理サーバは、
前記送信側周辺機器から受信した、前記送信端末の固有情報、前記受信端末の固有情報、および前記送信側周辺機器の固有情報を対応付けて記憶する記憶手段と、
前記受信側周辺機器から受信した前記送信端末および前記受信端末の固有情報に基づいて、前記記憶手段から前記送信側周辺機器の固有情報を検索する検索手段と、
前記送信側周辺機器の固有情報が検索されたことに応じて、前記送信側周辺機器および前記受信側周辺機器に音声認識サーバへの接続要求を送信する第５の送信手段と、
を備え、
前記音声認識サーバは、
前記送信端末または前記受信端末から受信した音声情報に対し、音声認識処理を行い、文字列に変換する変換手段と、
前記端末管理サーバから受信した前記送信側周辺機器および前記受信側周辺機器の固有情報に基づいて、前記変換された文字列を前記送信側周辺機器および前記受信側周辺機器に送信する第６の送信手段と、
を備え、
前記送信側周辺機器と前記受信側周辺機器とに前記文字列を表示することを特徴とする表示システム。
【請求項７】
さらに、コンテンツを管理するコンテンツサーバを備え、
前記音声認識サーバの第６の送信手段は、前記送信側周辺機器および前記受信側周辺機器の固有情報と前記文字列とを前記コンテンツサーバに送信し、
前記コンテンツサーバは、
単語とコンテンツあるいはコンテンツに関する情報とを対応付けて記憶するコンテンツ記憶手段と、
前記音声認識サーバから受信した前記文字列に基づいて、前記記憶手段から前記コンテンツあるいはコンテンツに関する情報を検索する検索手段と、
前記検索されたコンテンツあるいはコンテンツに関する情報を、前記送信側周辺機器および前記受信側周辺機器の固有情報に基づき、前記送信側周辺機器および前記受信側周辺機器に送信する第７の送信手段と、
を備え、前記送信側周辺機器と前記受信側周辺機器とに取得したコンテンツを表示することを特徴とする請求項５または請求項６に記載の表示システム。
【請求項８】
前記送信端末および前記受信端末が、携帯電話機、ＰＨＳ（Ｐｅｒｓｏｎａｌ  Ｈａｎｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＰＣ（Ｐｅｒｓｏｎａｌ  Ｃｏｍｐｕｔｅｒ）、ゲーム機のうち少なくとも１つであることを特徴とする請求項１から請求項７のいずれかに記載の表示システム。
【請求項９】
情報を送信する送信端末と、情報を受信する受信端末と、前記受信端末と通信可能な周辺機器と、前記周辺機器の機器情報と前記受信端末の固有情報とを対応付けて記憶する機器情報記憶部を備えて、前記周辺機器を管理する機器管理サーバと、前記送信端末の固有情報、前記受信端末の固有情報、およびコンテンツあるいはコンテンツに関する情報を対応付けて記憶する記憶部を備えて、前記コンテンツを管理するコンテンツサーバと、を備える表示システムにおける表示方法であって、
前記送信端末が、前記受信端末に自己の固有情報を送信する第１のステップと、
前記受信端末が、通信可能である前記周辺機器を検索する第２のステップと、
前記受信端末が、前記第２のステップで検索された周辺機器に、前記送信端末から受信した前記送信端末と自己の固有情報とを送信する第３のステップと、
前記周辺機器が、前記受信端末から受信した前記送信端末および前記受信端末の固有情報、自己の種類を特定する機器情報、および自己の固有情報を前記コンテンツサーバに送信する第４のステップと、
前記コンテンツサーバが、前記周辺機器から受信した、前記周辺機器の機器情報と前記受信端末の固有情報とを前記機器管理サーバに送信し、前記周辺機器の機器情報と前記受信端末の固有情報との組み合わせが、前記機器管理サーバの機器情報記憶部に存在するか否かにより、前記周辺機器の認証を行う第５のステップと、
前記コンテンツサーバが、前記第５のステップで認証された周辺機器から受信した前記送信端末および前記受信端末の固有情報に基づいて、前記記憶手段からコンテンツあるいはコンテンツに関する情報を検索する第６のステップと、
前記コンテンツサーバが、前記第６のステップで検索されたコンテンツあるいはコンテンツに関する情報を、前記第５のステップで認証された周辺機器の固有情報に基づき、前記認証された周辺機器に送信する第７のステップと、
前記周辺機器が、前記コンテンツサーバから受信したコンテンツを表示する第８のステップと、
を有することを特徴とする表示方法。
【請求項１０】
情報を送信する送信端末と、情報を受信する受信端末と、前記受信端末と通信可能な周辺機器と、前記周辺機器の機器情報と前記受信端末の固有情報とを対応付けて記憶する機器情報記憶部を備えて、前記周辺機器を管理する機器管理サーバと、前記送信端末の固有情報、前記受信端末の固有情報、およびコンテンツあるいはコンテンツに関する情報を対応付けて記憶する記憶部を備えて、前記コンテンツを管理するコンテンツサーバと、を備える表示システムにおける表示方法をコンピュータに実行させるためのプログラムであって、
前記送信端末が、前記受信端末に自己の固有情報を送信する第１のステップと、
前記受信端末が、通信可能である前記周辺機器を検索する第２のステップと、
前記受信端末が、前記第２のステップで検索された周辺機器に、前記送信端末から受信した前記送信端末と自己の固有情報とを送信する第３のステップと、
前記周辺機器が、前記受信端末から受信した前記送信端末および前記受信端末の固有情報、自己の種類を特定する機器情報、および自己の固有情報を前記コンテンツサーバに送信する第４のステップと、
前記コンテンツサーバが、前記周辺機器から受信した、前記周辺機器の機器情報と前記受信端末の固有情報とを前記機器管理サーバに送信し、前記周辺機器の機器情報と前記受信端末の固有情報との組み合わせが、前記機器管理サーバの機器情報記憶部に存在するか否かにより、前記周辺機器の認証を行う第５のステップと、
前記コンテンツサーバが、前記第５のステップで認証された周辺機器から受信した前記送信端末および前記受信端末の固有情報に基づいて、前記記憶手段からコンテンツあるいはコンテンツに関する情報を検索する第６のステップと、
前記コンテンツサーバが、前記第６のステップで検索されたコンテンツあるいはコンテンツに関する情報を、前記第５のステップで認証された周辺機器の固有情報に基づき、前記認証された周辺機器に送信する第７のステップと、
前記周辺機器が、前記コンテンツサーバから受信したコンテンツを表示する第８のステップと、
をコンピュータに実行させるためのプログラム。
【発明の詳細な説明】
【技術分野】
【０００１】
本発明は、周辺機器にコンテンツを表示する表示システム、表示方法およびプログラムであって、特に、ユーザが他者とコミュニケーションを行う場合に、コミュニケーションに利用する端末とは別の周辺機器にコンテンツを表示する表示システム、表示方法およびプログラムに関する。
【背景技術】
【０００２】
従来技術として、携帯電話機同士の通話において、呼び出し中や通話中に、着信側の携帯電話機のユーザが設定したコンテンツを発信側の携帯電話機に出力する技術が提案されている。具体的には、着信側の携帯電話機のユーザが、着信側の携帯電話機を識別するための識別情報（例えば、電話番号）とともにコンテンツをサーバにあらかじめ登録し、発信側のユーザが電話をかけると同時に、発信側の携帯電話機は着信側の携帯電話機の識別情報を索引としてサーバからコンテンツを取得し、取得したコンテンツを表示する（例えば、特許文献１参照。）。
【先行技術文献】
【特許文献】
【０００３】
【特許文献１】特開２００９−２５３８１７号公報
【発明の概要】
【発明が解決しようとする課題】
【０００４】
しかし、特許文献１に記載の技術では、通常の通話中は、ディスプレイ付きの携帯電話機を顔に密着させることが多いため、ユーザは通話中にディスプレイに表示されたコンテンツを閲覧することは困難である。また、ユーザ同士が通話以外のコミュニケーションを行う場合、例えば、メールやチャットの場合にも、同様にチャット中やメールを読んでいる時に送信者が着信者の端末にコンテンツを表示させたい場合がある。これらに用いる端末には、例えば、ＰＤＡ（Ｐｅｒｓｏｎａｌ  Ｄａｔａ  Ａｓｓｉｓｔａｎｃｅ）やＰＣ（Ｐｅｒｓｏｎａｌ  Ｃｏｍｐｕｔｅｒ）があり、これらは携帯電話機と異なりディスプレイを顔に密着させることはないが、チャット中やメールを読んでいる時にコンテンツを表示させるには、ＰＤＡの場合には、表示画面サイズが小さく、ユーザはコンテンツが見にくいという問題があった。一方、ＰＣにおいては、コンテンツがテレビジョン番組である場合に閲覧できないことがあるという問題があった。
【０００５】
このように、ユーザが通話を行いながらコンテンツを閲覧することが困難であるなど、ユーザがコミュニケーションを行う端末にコンテンツを表示する場合には端末の機能に起因した問題点があった。
【０００６】
そこで、本発明は、上記の課題に鑑みてされたものであり、ユーザがコミュニケーションに利用する端末とは別の周辺機器にコンテンツを表示することにより、ユーザがコミュニケーションを行う端末の機能に制限されずに、ユーザが閲覧しやすい状態で、コンテンツを表示することができる表示システム、表示方法およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）本発明は、情報を送信する送信端末（例えば、図４の送信端末１０に相当）と、情報を受信する受信端末（例えば、図４の受信端末２０に相当）と、前記受信端末と通信可能な周辺機器（例えば、図４の周辺機器３０に相当）と、前記周辺機器を管理する機器管理サーバ（例えば、図４の機器管理サーバ２００に相当）と、コンテンツを管理するコンテンツサーバ（例えば、図４のコンテンツサーバ１００に相当）と、を備える表示システムであって、前記送信端末は、前記受信端末に自己の固有情報を送信する第１の送信手段を備え、前記受信端末は、前記受信端末と通信可能である前記周辺機器を検索する機器検索手段と、前記検索された周辺機器に、前記送信端末から受信した前記送信端末と自己の固有情報とを送信する第２の送信手段と、を備え、前記周辺機器は、前記受信端末から受信した前記送信端末および前記受信端末の固有情報、自己の種類を特定する機器情報、および自己の固有情報を前記コンテンツサーバに送信する第３の送信手段を備え、前記機器管理サーバは、前記周辺機器の機器情報と前記受信端末の固有情報とを対応付けて記憶する機器情報記憶部を備え、前記コンテンツサーバは、前記送信端末の固有情報、前記受信端末の固有情報、およびコンテンツあるいはコンテンツに関する情報を対応付けて記憶する記憶手段と、前記周辺機器から受信した、前記周辺機器の機器情報と前記受信端末の固有情報とを前記機器管理サーバに送信し、前記周辺機器の機器情報と前記受信端末の固有情報との組み合わせが、前記機器管理サーバの機器情報記憶部に存在するか否かにより、前記周辺機器の認証を行う認証手段と、前記認証された周辺機器から受信した前記送信端末および前記受信端末の固有情報に基づいて、前記記憶手段からコンテンツあるいはコンテンツに関する情報を検索する検索手段と、前記検索されたコンテンツあるいはコンテンツに関する情報を、前記認証された周辺機器の固有情報に基づき、前記認証された周辺機器に送信する第４の送信手段と、を備え、前記認証された周辺機器が取得したコンテンツを表示することを特徴とする表示システムを提案している。
【０００９】
この発明によれば、送信端末の第１の送信手段は、受信端末に自己の固有情報を送信する。受信端末の機器検索手段は、受信端末と通信可能である周辺機器を検索する。受信端末の第２の送信手段は、検索された周辺機器に、送信端末から受信した送信端末と自己の固有情報とを送信する。周辺機器の第３の送信手段は、受信端末から受信した送信端末および受信端末の固有情報、自己の種類を特定する機器情報、および自己の固有情報をコンテンツサーバに送信する。機器管理サーバの機器情報記憶部は、周辺機器の機器情報と受信端末の固有情報とを対応付けて記憶する。コンテンツサーバの記憶手段は、送信端末の固有情報、受信端末の固有情報、およびコンテンツあるいはコンテンツに関する情報を対応付けて記憶する。コンテンツサーバの認証手段は、受信した周辺機器の機器情報と受信端末の固有情報とを機器管理サーバに送信し、周辺機器の機器情報と受信端末の固有情報との組み合わせが、機器管理サーバの機器情報記憶部に存在するか否かにより、周辺機器の認証を行う。コンテンツサーバの検索手段は、受信した送信端末および受信端末の固有情報に基づいて、記憶手段からコンテンツあるいはコンテンツに関する情報を検索する。コンテンツサーバの第４の送信手段は、検索されたコンテンツあるいはコンテンツに関する情報を、認証された周辺機器の固有情報に基づき、認証された周辺機器に送信する。認証された周辺機器は、取得したコンテンツを表示する。したがって、受信端末が周辺機器を検索することにより、受信端末と通信可能な周辺機器にコンテンツを表示することができ、さらに、受信端末の機能に制限されずに、ユーザが閲覧しやすい状態で、コンテンツを表示することができる。
【００１０】
（２）本発明は、（１）の表示システムについて、前記認証された周辺機器が複数である場合に、所定の条件に基づいて、前記コンテンツあるいはコンテンツに関する情報を表示する前記周辺機器を決定する決定手段（例えば、図５の決定部１０５に相当）を備えたことを特徴とする表示システムを提案している。
【００１１】
この発明によれば、認証された周辺機器が複数である場合に、コンテンツサーバの決定手段は、所定の条件に基づいて、コンテンツあるいはコンテンツに関する情報を表示する周辺機器を決定する。したがって、受信端末と通信可能な周辺機器が複数ある場合に、自動的に、その中からコンテンツを表示する周辺機器を決定することができる。
【００１２】
（３）本発明は、（２）の表示システムについて、前記機器管理サーバは、あらかじめ定められた優先順位を前記機器情報と対応付けて記憶するとともに、前記コンテンツサーバの認証手段は、前記認証された周辺機器の前記優先順位を取得し、前記決定手段は、前記取得された優先順位に基づいて、前記コンテンツを表示する前記周辺機器を決定することを特徴とする表示システムを提案している。
【００１３】
この発明によれば、機器管理サーバは、あらかじめ定められた優先順位を機器情報と対応付けて記憶する。コンテンツサーバの認証手段は、認証された周辺機器の優先順位を取得する。コンテンツサーバの決定手段は、取得された優先順位に基づいて、コンテンツを表示する周辺機器を決定する。したがって、受信端末と通信可能な周辺機器が複数ある場合に、ユーザがあらかじめ設定した優先順位にしたがって、自動的に、その中からコンテンツを表示する周辺機器を決定することができる。
【００１４】
（４）本発明は、情報を送信する送信端末（例えば、図６の送信端末１０に相当）と、情報を受信する受信端末（例えば、図６の受信端末２０に相当）と、前記受信端末と通信可能な周辺機器（例えば、図６の周辺機器３０に相当）と、地図情報を管理する地図情報サーバ（例えば、図６の地図情報サーバ４００に相当）と、端末情報を管理する端末管理サーバ（例えば、図６の端末管理サーバ３００に相当）と、を備える表示システムであって、前記送信端末は、前記受信端末に自己の固有情報を送信するとともに、前記受信端末に前記固有情報を送信した後に、前記端末管理サーバに自己および前記受信端末の固有情報と自己の位置情報とを送信する第１の送信手段を備え、前記受信端末は、前記送信端末から受信した前記送信端末および自己の固有情報を前記周辺機器に送信する第２の送信手段を備え、前記周辺機器は、前記受信端末から受信した前記送信端末および前記受信端末の固有情報と自己の固有情報とを前記端末管理サーバに送信する第３の送信手段を備え、前記端末管理サーバは、前記送信端末から受信した、前記送信端末の固有情報、前記受信端末の固有情報、および位置情報を対応付けて記憶する記憶手段（例えば、図７の端末情報記憶部３０３に相当）と、前記周辺機器から受信した前記送信端末および前記受信端末の固有情報に基づいて、前記記憶手段から位置情報を検索する検索手段（例えば、図７の検索部３０２に相当）と、前記地図情報サーバに、前記検索された位置情報と前記周辺機器の固有情報とを送信する第４の送信手段（例えば、図７の送受信部３０１に相当）と、を備え、前記地図情報サーバは、前記端末管理サーバから受信した位置情報に基づいて、地図情報を取得する取得手段（例えば、図７の取得部４０２に相当）と、前記端末管理サーバから受信した前記周辺機器の固有情報に基づき、前記取得した地図情報を前記周辺機器に送信する第５の送信手段（例えば、図７の送受信部４０１に相当）と、を備え、前記周辺機器が前記地図情報サーバから取得した地図情報を表示することを特徴とする表示システムを提案している。
【００１５】
この発明によれば、送信端末の第１の送信手段は、自己の固有情報を受信端末に送信するとともに、受信端末に固有情報を送信した後に、端末管理サーバに自己および受信端末の固有情報と自己の位置情報とを送信する。受信端末の第２の送信手段は、受信した送信端末および自己の固有情報を周辺機器に送信する。周辺機器の第３の送信手段は、受信した送信端末および受信端末の固有情報と自己の固有情報とを端末管理サーバに送信する。端末管理サーバの記憶部は、送信端末の固有情報、受信端末の固有情報、および位置情報を対応付けて記憶する。端末管理サーバの検索手段は、受信した送信端末および受信端末の固有情報に基づいて、記憶手段から位置情報を検索する。端末管理サーバの第４の送信手段は、地図情報サーバに、検索された位置情報と周辺機器の固有情報とを送信する。地図情報サーバの取得手段は、受信した位置情報に基づいて、地図情報を取得する。地図情報サーバの第５の送信手段は、受信した周辺機器の固有情報に基づき、取得した地図情報を周辺機器に送信する。周辺機器は、取得した地図情報を表示する。したがって、受信端末とは別の周辺機器に、送信端末の位置を示す地図情報を表示することにより、受信端末の機能に制限されずに、ユーザが閲覧しやすい状態で、送信端末の位置を示す地図情報を表示することができる。
【００１６】
（５）本発明は、情報を送信する送信端末（例えば、図１０の送信端末１０に相当）と、情報を受信する受信端末（例えば、図１０の受信端末２０に相当）と、前記送信端末と通信可能な送信側周辺機器（例えば、図１０の送信側周辺機器４０に相当）と、前記受信端末と通信可能な受信側周辺機器（例えば、図１０の受信側周辺機器５０に相当）と、端末情報を管理する端末管理サーバ（例えば、図１０の端末管理サーバ７００に相当）と、音声情報に対し音声認識処理を行い、文字列に変換する音声認識サーバ（例えば、図１０の音声認識サーバ８００に相当）と、を備える表示システムであって、前記送信端末は、前記受信端末に自己の固有情報を送信するとともに、前記送信側周辺機器に自己および前記受信端末の固有情報を送信する第１の送信手段を備え、前記送信側周辺機器は、前記送信端末から受信した前記送信端末および前記受信端末の固有情報と自己の固有情報とを前記端末管理サーバに送信するとともに、前記端末管理サーバから受信した前記音声認識サーバのＩＰアドレスを前記送信端末に送信する第２の送信手段を備え、前記受信端末は、前記送信端末から受信した前記送信端末の固有情報と自己の固有情報とを前記受信側周辺機器に送信する第３の送信手段を備え、前記受信側周辺機器は、前記受信端末から受信した前記送信端末および前記受信端末の固有情報と自己の固有情報とを前記端末管理サーバに送信するとともに、前記端末管理サーバから受信した前記音声認識サーバのＩＰアドレスを前記受信端末に送信する第４の送信手段（例えば、図１１の送受信部７０１に相当）を備え、前記端末管理サーバは、前記送信側周辺機器から受信した、前記送信端末の固有情報、前記受信端末の固有情報、前記送信側周辺機器の固有情報、および前記音声認識サーバのＩＰアドレスを対応付けて記憶する記憶手段（例えば、図１１の記憶部７０３に相当）と、前記受信側周辺機器から受信した前記送信端末および前記受信端末の固有情報に基づいて、前記記憶手段から前記送信側周辺機器の固有情報を検索する検索手段（例えば、図１１の検索部７０２に相当）と、前記検索された送信側周辺機器の固有情報に基づき、前記記憶手段の音声認識サーバのＩＰアドレスを前記送信側周辺機器に送信し、前記受信側周辺機器の固有情報に基づき、前記記憶手段の前記音声認識サーバのＩＰアドレスを前記受信側周辺機器に送信し、さらに、前記音声認識サーバに前記送信側周辺機器および前記受信側周辺機器の固有情報を送信する第５の送信手段と、を備え、前記音声認識サーバは、前記送信端末または前記受信端末から受信した音声情報に対し、音声認識処理を行い、文字列に変換する変換手段（例えば、図１２の変換部８０２に相当）と、前記端末管理サーバから受信した前記送信側周辺機器および前記受信側周辺機器の固有情報に基づいて、前記変換された文字列を前記送信側周辺機器および前記受信側周辺機器に送信する第６の送信手段（例えば、図１２の送受信部８０１に相当）と、を備え、前記送信側周辺機器および前記受信側周辺機器に前記変換された文字列を表示することを特徴とする表示システムを提案している。
【００１７】
この発明によれば、送信端末の第１の送信手段は、受信端末に自己の固有情報を送信するとともに、送信側周辺機器に自己および受信端末の固有情報を送信する。送信側周辺機器の第２の送信手段は、受信した送信端末および受信端末の固有情報と自己の固有情報とを端末管理サーバに送信するとともに、端末管理サーバから受信した音声認識サーバのＩＰアドレスを送信端末に送信する。受信端末の第３の送信手段は、受信した送信端末の固有情報と自己の固有情報とを受信側周辺機器に送信する。受信側周辺機器の第４の送信手段は、受信した送信端末および受信端末の固有情報と自己の固有情報とを端末管理サーバに送信するとともに、端末管理サーバから受信した音声認識サーバのＩＰアドレスを受信端末に送信する。端末管理サーバの記憶手段は、送信端末の固有情報、受信端末の固有情報、送信側周辺機器の固有情報、および音声認識サーバのＩＰアドレスを対応付けて記憶する。端末管理サーバの検索手段は、受信した送信端末および受信端末の固有情報に基づいて、記憶手段から送信側周辺機器の固有情報を検索する。端末管理サーバの第５の送信手段は、検索された送信側周辺機器の固有情報に基づき、記憶手段の音声認識サーバのＩＰアドレスを送信側周辺機器に送信し、受信側周辺機器の固有情報に基づき、記憶手段の音声認識サーバのＩＰアドレスを受信側周辺機器に送信し、さらに、音声認識サーバに送信側周辺機器および受信側周辺機器の固有情報を送信する。音声認識サーバの変換手段は、受信した音声情報に対し、音声認識処理を行い、文字列に変換する。音声認識サーバの第６の送信手段は、受信した送信側周辺機器および受信側周辺機器の固有情報に基づいて、変換された文字列を送信側周辺機器および受信側周辺機器に送信する。送信側周辺機器と受信側周辺機器とは、変換された文字列を表示する。したがって、送信端末側の周辺機器と受信端末側の周辺機器を用いて、文字列に変換された音声情報を表示することができ、受信端末および送信端末の機能に制限されず、ユーザに閲覧しやすい状態で、ユーザが端末を介して行った会話の内容を文字で表示することができる。
【００１８】
（６）本発明は、本発明は、情報を送信する送信端末（例えば、図１０の送信端末１０に相当）と、情報を受信する受信端末（例えば、図１０の受信端末２０に相当）と、前記送信端末と通信可能な送信側周辺機器（例えば、図１０の送信側周辺機器４０に相当）と、前記受信端末と通信可能な受信側周辺機器（例えば、図１０の受信側周辺機器５０に相当）と、端末情報を管理する端末管理サーバ（例えば、図１０の端末管理サーバ７００に相当）と、音声情報に対し音声認識処理を行い、文字列に変換する音声認識サーバ（例えば、図１０の音声認識サーバ８００に相当）と、を備える表示システムであって、前記送信端末は、前記受信端末に自己の固有情報を送信するとともに、前記送信側周辺機器に自己および前記受信端末の固有情報を送信する第１の送信手段を備え、前記送信側周辺機器は、前記送信端末から受信した前記送信端末および前記受信端末の固有情報と自己の固有情報とを前記端末管理サーバに送信するとともに、前記端末管理サーバから接続要求を受信したことに応じて、あらかじめ記憶している音声認識サーバのＩＰアドレスを前記送信端末に送信する第２の送信手段を備え、前記受信端末は、前記送信端末から受信した前記送信端末の固有情報と自己の固有情報とを前記受信側周辺機器に送信する第３の送信手段を備え、前記受信側周辺機器は、前記受信端末から受信した前記送信端末および前記受信端末の固有情報と自己の固有情報とを前記端末管理サーバに送信するとともに、前記端末管理サーバから接続要求を受信したことに応じて、あらかじめ記憶している前記音声認識サーバのＩＰアドレスを前記受信端末に送信する第４の送信手段を備え、前記端末管理サーバは、前記送信側周辺機器から受信した、前記送信端末の固有情報、前記受信端末の固有情報、および前記送信側周辺機器の固有情報を対応付けて記憶する記憶手段（例えば、図１１の記憶部７０３に相当）と、前記受信側周辺機器から受信した前記送信端末および前記受信端末の固有情報に基づいて、前記記憶手段から前記送信側周辺機器の固有情報を検索する検索手段（例えば、図１１の検索部７０２に相当）と、前記送信側周辺機器の固有情報が検索されたことに応じて、前記送信側周辺機器および前記受信側周辺機器に音声認識サーバへの接続要求を送信する第５の送信手段（例えば、図１１の送受信部７０１に相当）と、を備え、前記音声認識サーバは、前記送信端末または前記受信端末から受信した音声情報に対し、音声認識処理を行い、文字列に変換する変換手段（例えば、図１２の変換部８０２に相当）と、前記端末管理サーバから受信した前記送信側周辺機器および前記受信側周辺機器の固有情報に基づいて、前記変換された文字列を前記送信側周辺機器および前記受信側周辺機器に送信する第６の送信手段（例えば、図１２の送受信部８０１に相当）と、を備え、前記送信側周辺機器と前記受信側周辺機器とに前記文字列を表示することを特徴とする表示システムを提案している。
【００１９】
この発明によれば、送信端末の第１の送信手段は、受信端末に自己の固有情報を送信するとともに、送信側周辺機器に自己および受信端末の固有情報を送信する。送信側周辺機器の第２の送信手段は、受信した送信端末および受信端末の固有情報と自己の固有情報とを端末管理サーバに送信するとともに、端末管理サーバから接続要求を受信したことに応じて、あらかじめ記憶している音声認識サーバのＩＰアドレスを送信端末に送信する。受信端末の第３の送信手段は、受信した送信端末の固有情報と自己の固有情報とを受信側周辺機器に送信する。受信側周辺機器の第４の送信手段は、受信した送信端末および受信端末の固有情報と自己の固有情報とを端末管理サーバに送信するとともに、端末管理サーバから接続要求を受信したことに応じて、あらかじめ記憶している音声認識サーバのＩＰアドレスを受信端末に送信する。端末管理サーバの記憶手段は、送信端末の固有情報、受信端末の固有情報、および送信側周辺機器の固有情報を対応付けて記憶する。端末管理サーバの検索手段は、受信した送信端末および受信端末の固有情報に基づいて、記憶手段から送信側周辺機器の固有情報を検索する。端末管理サーバの第５の送信手段は、送信側周辺機器の固有情報が検索されたことに応じて、送信側周辺機器および受信側周辺機器に音声認識サーバへの接続要求を送信する。音声認識サーバの変換手段は、受信した音声情報に対し、音声認識処理を行い、文字列に変換する。音声認識サーバの第６の送信手段は、受信した送信側周辺機器および受信側周辺機器の固有情報に基づいて、変換された文字列を送信側周辺機器および受信側周辺機器に送信する。送信側周辺機器と受信側周辺機器とは、変換された文字列を表示する。したがって、送信端末側の周辺機器と受信端末側の周辺機器を用いて、文字列に変換された音声情報を表示することができ、受信端末および送信端末の機能に制限されず、ユーザに閲覧しやすい状態で、ユーザが端末に対し発した音声の内容を文字で表示することができる。
【００２０】
（７）本発明は、（５）または（６）の表示システムについて、さらに、コンテンツを管理するコンテンツサーバ（例えば、図１０のコンテンツサーバ９００に相当）を備え、前記音声認識サーバの第６の送信手段は、前記送信側周辺機器および前記受信側周辺機器の固有情報と前記文字列とを前記コンテンツサーバに送信し、前記コンテンツサーバは、単語とコンテンツあるいはコンテンツに関する情報とを対応付けて記憶するコンテンツ記憶手段（例えば、図１２の記憶部９０３に相当）と、前記音声認識サーバから受信した前記文字列に基づいて、前記記憶手段から前記コンテンツあるいはコンテンツに関する情報を検索する検索手段（例えば、図１２の検索部９０２に相当）と、前記検索されたコンテンツあるいはコンテンツに関する情報を、前記送信側周辺機器および前記受信側周辺機器の固有情報に基づき、前記送信側周辺機器および前記受信側周辺機器に送信する第７の送信手段（例えば、図１２の送受信部９０１に相当）と、を備え、前記送信側周辺機器と前記受信側周辺機器とに取得したコンテンツを表示することを特徴とする表示システムを提案している。
【００２１】
この発明によれば、音声認識サーバの第６の送信手段は、送信側周辺機器および受信側周辺機器の固有情報と文字列とをコンテンツサーバに送信する。コンテンツサーバのコンテンツ記憶手段は、単語とコンテンツあるいはコンテンツに関する情報とを対応付けて記憶する。コンテンツサーバの検索手段は、音声認識サーバから受信した文字列に基づいて、記憶手段からコンテンツあるいはコンテンツに関する情報を検索する。コンテンツサーバの第７の送信手段は、検索されたコンテンツあるいはコンテンツに関する情報を、送信側周辺機器および受信側周辺機器の固有情報に基づき、送信側周辺機器および受信側周辺機器に送信する。送信側周辺機器と受信側周辺機器とは、取得したコンテンツを表示する。したがって、送信端末側の周辺機器と受信端末側の周辺機器を用いて、音声情報に関するコンテンツを表示することができ、受信端末および送信端末の機能に制限されず、ユーザに閲覧しやすい状態で、ユーザが端末に対し発した音声の内容と関連するコンテンツを表示することができる。
【００２２】
（８）本発明は、（１）から（７）に表示システムについて、前記送信端末および前記受信端末が、携帯電話機、ＰＨＳ（Ｐｅｒｓｏｎａｌ  Ｈａｎｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＰＣ（Ｐｅｒｓｏｎａｌ  Ｃｏｍｐｕｔｅｒ）、ゲーム機のうち少なくとも１つであることを特徴とする表示システムを提案している。
【００２３】
この発明によれば、送信端末および受信端末を、携帯電話機、ＰＨＳ（Ｐｅｒｓｏｎａｌ  Ｈａｎｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＰＣ（Ｐｅｒｓｏｎａｌ  Ｃｏｍｐｕｔｅｒ）、ゲーム機のいずれかとすることができる。したがって、送信端末および受信端末としてさまざまな種類の端末を利用することができ、ユーザが所持している端末で（１）から（７）の表示システムを実現することができる。
【００２４】
（９）本発明は、情報を送信する送信端末と、情報を受信する受信端末と、前記受信端末と通信可能な周辺機器と、前記周辺機器の機器情報と前記受信端末の固有情報とを対応付けて記憶する機器情報記憶部を備えて、前記周辺機器を管理する機器管理サーバと、前記送信端末の固有情報、前記受信端末の固有情報、およびコンテンツあるいはコンテンツに関する情報を対応付けて記憶する記憶部を備えて、前記コンテンツを管理するコンテンツサーバと、を備える表示システムにおける表示方法であって、前記送信端末が、前記受信端末に自己の固有情報を送信する第１のステップと、前記受信端末が、通信可能である前記周辺機器を検索する第２のステップと、前記受信端末が、前記第２のステップで検索された周辺機器に、前記送信端末から受信した前記送信端末と自己の固有情報とを送信する第３のステップと、前記周辺機器が、前記受信端末から受信した前記送信端末および前記受信端末の固有情報、自己の種類を特定する機器情報、および自己の固有情報を前記コンテンツサーバに送信する第４のステップと、前記コンテンツサーバが、前記周辺機器から受信した、前記周辺機器の機器情報と前記受信端末の固有情報とを前記機器管理サーバに送信し、前記周辺機器の機器情報と前記受信端末の固有情報との組み合わせが、前記機器管理サーバの機器情報記憶部に存在するか否かにより、前記周辺機器の認証を行う第５のステップと、前記コンテンツサーバが、前記第５のステップで認証された周辺機器から受信した前記送信端末および前記受信端末の固有情報に基づいて、前記記憶手段からコンテンツあるいはコンテンツに関する情報を検索する第６のステップと、前記コンテンツサーバが、前記第６のステップで検索されたコンテンツあるいはコンテンツに関する情報を、前記第５のステップで認証された周辺機器の固有情報に基づき、前記認証された周辺機器に送信する第７のステップと、前記周辺機器が、前記コンテンツサーバから受信したコンテンツを表示する第８のステップと、を有することを特徴とする表示方法を提案している。
【００２５】
この発明によれば、まず、第１のステップにおいて、送信端末が、受信端末に自己の固有情報を送信する。次に、第２のステップにおいて、受信端末が、通信可能である周辺機器を検索する。次に、第３のステップにおいて、受信端末が、第２のステップで検索された周辺機器に、送信端末から受信した送信端末と自己の固有情報とを送信する。次に、第４のステップにおいて、周辺機器が、受信端末から受信した送信端末および受信端末の固有情報、自己の種類を特定する機器情報、および自己の固有情報をコンテンツサーバに送信する。次に、第５のステップにおいて、コンテンツサーバが、周辺機器から受信した、周辺機器の機器情報と受信端末の固有情報とを機器管理サーバに送信し、周辺機器の機器情報と受信端末の固有情報との組み合わせが、機器管理サーバの機器情報記憶部に存在するか否かにより、周辺機器の認証を行う。次に、第６のステップにおいて、コンテンツサーバが、第５のステップで認証された周辺機器から受信した送信端末および受信端末の固有情報に基づいて、記憶手段からコンテンツあるいはコンテンツに関する情報を検索する。次に、第７のステップにおいて、コンテンツサーバが、第６のステップで検索されたコンテンツあるいはコンテンツに関する情報を、第５のステップで認証された周辺機器の固有情報に基づき、認証された周辺機器に送信する。そして、第８のステップにおいて、周辺機器が、コンテンツサーバから受信したコンテンツを表示する。したがって、受信端末が周辺機器を検索することにより、受信端末と通信可能な周辺機器にコンテンツを表示することができ、さらに、受信端末の機能に制限されずに、ユーザが閲覧しやすい状態で、コンテンツを表示することができる。
【００２６】
（１０）本発明は、情報を送信する送信端末と、情報を受信する受信端末と、前記受信端末と通信可能な周辺機器と、前記周辺機器の機器情報と前記受信端末の固有情報とを対応付けて記憶する機器情報記憶部を備えて、前記周辺機器を管理する機器管理サーバと、前記送信端末の固有情報、前記受信端末の固有情報、およびコンテンツあるいはコンテンツに関する情報を対応付けて記憶する記憶部を備えて、前記コンテンツを管理するコンテンツサーバと、を備える表示システムにおける表示方法をコンピュータに実行させるためのプログラムであって、前記送信端末が、前記受信端末に自己の固有情報を送信する第１のステップと、前記受信端末が、通信可能である前記周辺機器を検索する第２のステップと、前記受信端末が、前記第２のステップで検索された周辺機器に、前記送信端末から受信した前記送信端末と自己の固有情報とを送信する第３のステップと、前記周辺機器が、前記受信端末から受信した前記送信端末および前記受信端末の固有情報、自己の種類を特定する機器情報、および自己の固有情報を前記コンテンツサーバに送信する第４のステップと、前記コンテンツサーバが、前記周辺機器から受信した、前記周辺機器の機器情報と前記受信端末の固有情報とを前記機器管理サーバに送信し、前記周辺機器の機器情報と前記受信端末の固有情報との組み合わせが、前記機器管理サーバの機器情報記憶部に存在するか否かにより、前記周辺機器の認証を行う第５のステップと、前記コンテンツサーバが、前記第５のステップで認証された周辺機器から受信した前記送信端末および前記受信端末の固有情報に基づいて、前記記憶手段からコンテンツあるいはコンテンツに関する情報を検索する第６のステップと、前記コンテンツサーバが、前記第６のステップで検索されたコンテンツあるいはコンテンツに関する情報を、前記第５のステップで認証された周辺機器の固有情報に基づき、前記認証された周辺機器に送信する第７のステップと、前記周辺機器が、前記コンテンツサーバから受信したコンテンツを表示する第８のステップと、をコンピュータに実行させるためのプログラムを提案している。
【００２７】
この発明によれば、まず、第１のステップにおいて、送信端末が、受信端末に自己の固有情報を送信する。次に、第２のステップにおいて、受信端末が、通信可能である周辺機器を検索する。次に、第３のステップにおいて、受信端末が、第２のステップで検索された周辺機器に、送信端末から受信した送信端末と自己の固有情報とを送信する。次に、第４のステップにおいて、周辺機器が、受信端末から受信した送信端末および受信端末の固有情報、自己の種類を特定する機器情報、および自己の固有情報をコンテンツサーバに送信する。次に、第５のステップにおいて、コンテンツサーバが、周辺機器から受信した、周辺機器の機器情報と受信端末の固有情報とを機器管理サーバに送信し、周辺機器の機器情報と受信端末の固有情報との組み合わせが、機器管理サーバの機器情報記憶部に存在するか否かにより、周辺機器の認証を行う。次に、第６のステップにおいて、コンテンツサーバが、第５のステップで認証された周辺機器から受信した送信端末および受信端末の固有情報に基づいて、記憶手段からコンテンツあるいはコンテンツに関する情報を検索する。次に、第７のステップにおいて、コンテンツサーバが、第６のステップで検索されたコンテンツあるいはコンテンツに関する情報を、第５のステップで認証された周辺機器の固有情報に基づき、認証された周辺機器に送信する。そして、第８のステップにおいて、周辺機器が、コンテンツサーバから受信したコンテンツを表示する。したがって、受信端末が周辺機器を検索することにより、受信端末と通信可能な周辺機器にコンテンツを表示することができ、さらに、受信端末の機能に制限されずに、ユーザが閲覧しやすい状態で、コンテンツを表示することができる。
【発明の効果】
【００３６】
本発明によれば、ユーザがコミュニケーションに利用する端末とは別の周辺機器にコンテンツを表示することにより、ユーザがコミュニケーションを行う端末の機能に制限されずに、ユーザが閲覧しやすい状態で、コンテンツ表示を行うことができるという効果がある。
【図面の簡単な説明】
【００３７】
【図１】第１の実施形態に係る表示システムの構成を示す図である。
【図２】第１の実施形態に係るコンテンツサーバの構成を示す図である。
【図３】第１の実施形態に係る表示システムの処理フローである。
【図４】第２の実施形態に係る表示システムの詳細を示す図である。
【図５】第２の実施形態に係るコンテンツサーバの構成を示す図である。
【図６】第３の実施形態に係る表示システムの詳細を示す図である。
【図７】第３の実施形態に係る端末管理サーバおよび地図情報サーバの構成を示す図である。
【図８】第４の実施形態に係る表示システムの詳細を示す図である。
【図９】第４の実施形態に係る受信側周辺機器および端末管理サーバの構成を示す図である。
【図１０】第５の実施形態に係る表示システムの詳細を示す図である。
【図１１】第５の実施形態に係る端末管理サーバの構成を示す図である。
【図１２】第５の実施形態に係る音声認識サーバおよびコンテンツサーバの構成を示す図である。
【図１３】第６の実施形態に係る表示システムの詳細を示す図である。
【図１４】第６の実施形態に係る受信側周辺機器およびコンテンツサーバの構成を示す図である。
【発明を実施するための形態】
【００３８】
以下、図面を用いて、本発明の実施形態について詳細に説明する。なお、本実施形態における構成要素は適宜、既存の構成要素などとの置き換えが可能であり、また、他の既存の構成要素との組み合わせを含むさまざまなバリエーションが可能である。したがって、本実施形態の記載をもって、特許請求の範囲に記載された発明の内容を限定するものではない。
【００３９】
＜第１の実施形態＞
以下、図１から図３を用いて、本発明の第１の実施形態について説明する。
【００４０】
＜表示システムの構成＞
図１は、第１の実施形態に係る表示システム１の構成を示す図である。第１の実施形態に係る表示システム１は、図１に示すように、送信端末１０、受信端末２０、周辺機器３０、およびコンテンツサーバ１００を備える。
【００４１】
受信端末２０と周辺機器３０とは互いを数十メートル程度に位置させた状態で有線または無線で接続され、例えば、イーサネット（登録商標）ワーク、Ｂｌｕｅｔｏｏｔｈ（登録商標）ネットワークやＷｉＦｉ（Ｗｉｒｅｌｅｓｓ  Ｆｉｄｅｌｉｔｙ）無線ネットワークなどの通信ネットワークで接続される。その他の各装置間は、例えばインターネットなどの通信ネットワークで接続される。第１の実施形態では、受信端末２０と周辺機器３０とは、例えば、Ｂｌｕｅｔｏｏｔｈのペアリング機能を用いて、あらかじめ互いにアクセスできるようになっている。
【００４２】
第１の実施形態においては、送信端末１０および受信端末２０は携帯電話機とするが、送信端末１０および受信端末２０は通信機能を有していればよく、例えば、ＰＨＳ、ＰＤＡ、ＰＣ、ゲーム機などであってもよい。また、図１では、説明の便宜上、送信端末１０と受信端末２０とに分けて図示しているが、いずれの端末もユーザの使用状況によって、送信端末１０か、受信端末２０かになることができる。
【００４３】
送信端末１０は、ユーザが受信端末２０へ発信操作を行ったことに応じて、受信端末２０へ自己の電話番号を送信する。なお、第１の実施形態において、送信端末１０の固有情報として電話番号を用いるが、携帯電話機を一意に特定できる情報であれば、携帯電話機が有するその他の情報を用いてもよい。また、送信端末１０は、ユーザの操作により選択されたコンテンツあるいはコンテンツに関する情報と自己の電話番号とをコンテンツサーバ１００へ送信する。
【００４４】
なお、コンテンツは、ウェブページ、ウェブサイト、映画、テレビジョン番組、ビデオプログラム、写真、絵画および図表などの映像データ、ゲームおよびソフトフェアなどであってもよい。一方、コンテンツに関する情報とは、コンテンツの格納先を示すＵＲＬやＩＰアドレスなどである。
【００４５】
受信端末２０は、送信端末１０から送信端末１０の電話番号（以下、送信電話番号とする）を受信すると、受信した送信電話番号と自己の電話番号とを周辺機器３０へ送信する。
【００４６】
周辺機器３０は、受信端末２０から送信電話番号と受信端末２０の電話番号（以下、受信電話番号とする）とを受信し、受信した送信電話番号および受信電話番号と自己のＩＰアドレスとをコンテンツサーバ１００に送信し、コンテンツを要求する。なお、第１の実施形態において、周辺機器３０の固有情報としてＩＰアドレスを用いるが、周辺機器を一意に特定できる情報であれば、周辺機器が有するその他の情報を用いてもよい。
【００４７】
また、周辺機器３０は、表示部（図示せず）を備え、コンテンツを表示する。表示部は、コンテンツサーバ１００からコンテンツを受信した場合には受信したコンテンツを表示し、コンテンツサーバ１００からコンテンツに関する情報を受信した場合には、受信したコンテンツ情報に基づいて通信ネットワーク上から取得したコンテンツを表示する。以下、コンテンツに関する情報も含めた意味でコンテンツという表現を用いる。表示部は、受信端末２０が着信状態であることをコンテンツと併せて表示することもできる。表示するコンテンツが複数である場合には、表示部は、受信した順やコンテンツのサイズ順などにより順次コンテンツを表示してもよい。
【００４８】
さらに、周辺機器３０は、受信端末２０からコンテンツ終了指示を受信し、コンテンツの表示を終了させることもできる。コンテンツ終了指示は、受信端末２０のユーザの操作に応じて受信端末２０から送信されてもよいし、送信端末１０との通信終了に応じて受信端末２０から送信されてもよい。
【００４９】
なお、周辺機器３０は、受信端末２０から数十メートル程度に位置させた状態で有線または無線で接続される機器であり、例えば、デジタルフォトフレーム、デジタルテレビ、セットトップボックスなどである。また、表示部は、例えば、ＣＲＴ（Ｃａｔｈｏｄｅ  Ｒａｙ  Ｔｕｂｅ）ディスプレイ、液晶ディスプレイ（ＬＣＤ）、ＯＬＥＤ（Ｏｒｇａｎｉｃ  Ｌｉｇｈｔ  Ｅｍｉｔｔｉｎｇ  Ｄｉｓｐｌａｙ）などによって構成される。
【００５０】
コンテンツサーバ１００は、周辺機器３０に表示または表示の際に用いるコンテンツあるいはコンテンツ関する情報を管理する。コンテンツサーバ１００は、送信電話番号、受信電話番号、およびコンテンツを記憶する。コンテンツサーバ１００は、送信電話番号、受信電話番号、およびコンテンツをあらかじめ記憶しておいてもよいし、送信端末１０から受信してもよい。また、周辺機器３０から送信電話番号、受信電話番号、および周辺機器３０のＩＰアドレスを受信して、周辺機器３０にコンテンツを送信する。
【００５１】
＜コンテンツサーバの構成＞
図２は、第１の実施形態に係るコンテンツサーバ１００の構成を示す図である。コンテンツサーバ１００は、送受信部１０１、検索部１０２、および記憶部１０３を備える。
【００５２】
記憶部１０３は、送信電話番号、受信電話番号、およびコンテンツを記憶する。また、記憶部１０３は、送受信部１０１を介して送信端末１０から受信した、送信電話番号、受信電話番号、およびコンテンツを対応付けて記憶してもよい。なお、送信電話番号に対しコンテンツは複数であってもよい。また、あらかじめ記憶部１０３に受信電話番号とコンテンツとを記憶させておき、送信端末１０から送信電話番号のみを受信し、あらかじめ記憶しておいた受信電話番号とコンテンツとに、受信した送信電話番号を対応つけてもよい。記憶部１０３において、コンテンツに受信電話番号を対応付けておくことにより、受信端末２０のユーザの嗜好にあったコンテンツを表示することができる。
【００５３】
検索部１０２は、送受信部１０１を介して周辺機器３０から受信した送信電話番号と受信電話番号とを検索条件として記憶部１０３を検索し、コンテンツを取得する。
【００５４】
送受信部１０１は、周辺機器３０から受信した送信電話番号と受信電話番号とを検索部１０２に送信して、コンテンツを要求し、周辺機器３０から受信した周辺機器３０のＩＰアドレスに基づいて、取得されたコンテンツを送信する。なお、送受信部１０１は、送信端末１０から送信電話番号、受信電話番号、およびコンテンツを受信すると記憶部１０３に送信する。
【００５５】
＜表示システムの処理＞
図３は、第１の実施形態に係る表示システムの処理フローである。あらかじめ、記憶部１０３に送信電話番号、受信電話番号、およびコンテンツが対応付けて記憶されていることが必要である。
【００５６】
ステップ（以下、単にＳと記す）１０１では、ユーザが受信端末２０へ発信操作を行ったことを送信端末１０が受け付けると、送信端末１０が受信端末２０に送信電話番号を送信する。
【００５７】
Ｓ１０２では、受信端末２０が、送信端末１０から受信した送信電話番号と自己の電話番号（受信電話番号）とを周辺機器３０に送信する。
【００５８】
Ｓ１０３では、周辺機器３０が、コンテンツサーバ１００に、受信端末２０から受信した送信電話番号および受信電話番号と、自己のＩＰアドレスとを送信する。
【００５９】
Ｓ１０４では、コンテンツサーバ１００の検索部１０２が、周辺機器３０から受信した送信電話番号と受信電話番号とを検索条件として、記憶部１０３を検索し、コンテンツを取得する。
【００６０】
Ｓ１０５では、送受信部１０１が、周辺機器３０から受信した周辺機器３０のＩＰアドレスにしたがって、Ｓ１０４にて取得されたコンテンツを周辺機器３０に送信する。
【００６１】
Ｓ１０６では、周辺機器３０は、受信したコンテンツに基づいてコンテンツを表示する。
【００６２】
以上説明したように、第１の実施形態によれば、受信端末２０とは別の周辺機器３０を利用して、あらかじめ準備されたコンテンツを表示することができる。よって、受信端末２０の機能に制限されずに、ユーザが閲覧しやすい状態で、コンテンツを表示することができる。
【００６３】
＜第２の実施形態＞
図４から図５を用いて、本発明の第２の実施形態について説明する。第２の実施形態の表示システム２は、機器管理サーバ２００が追加され、かつ、受信端末２０に検索部（図示せず）が設けられ、さらに、コンテンツサーバ１００に認証部１０４および決定部１０５が設けられている他は、第１の実施形態と同様な形態をしている。よって、前述した第１の実施形態と同様の機能を果たす部分には、同一の符号を付して、重複する説明を適宜省略する。
【００６４】
図４は、第２の実施形態に係る表示システム２の詳細を示す図である。受信端末２０は、図示しない検索部を備えている。検索部は、通信ネットワークを介して、受信端末２０と接続可能な周辺機器３０を検索する。接続可能な周辺機器３０が検索された場合には、検索された周辺機器３０すべてに対し、受信端末２０は送信端末１０から受信した送信電話番号と、自己の電話番号（受信電話番号）とを送信する。一方、検索されなかった場合には、受信端末２０は送信端末１０との通信だけを行う。また、受信端末２０はユーザの操作により選択された周辺機器３０の機器情報（後述する）と受信電話番号とを、機器管理サーバ２００に送信する。
【００６５】
周辺機器３０は、受信端末２０から送信電話番号と受信電話番号とを受信し、受信した送信電話番号および受信電話番号と併せて、自己のＩＰアドレスと自己の機器情報とをコンテンツサーバ１００に送信し、コンテンツを要求する。ここで、機器情報とは、周辺機器の種類を特定するための情報であり、例えば周辺機器がデジタルテレビであることを特定するための情報である。
【００６６】
機器管理サーバ２００は、周辺機器３０に関する情報の管理を行う。ユーザは、受信端末２０を用いて、受信端末２０と接続させたい周辺機器３０の機器情報を機器管理サーバ２００にあらかじめ登録する。具体的には、機器管理サーバ２００は、受信端末２０から受信した受信電話番号と、機器情報とを記憶する。なお、受信電話番号１つに対し、機器情報は複数あってもよい。また、機器管理サーバ２００は、機器情報に優先順位を付けて記憶してもよい。それにより、受信電話番号毎、すなわち、受信端末毎にコンテンツ表示を行う周辺機器の優先順位を設定することができる。
【００６７】
図５は、第２の実施形態に係るコンテンツサーバ１００の構成を示す図である。コンテンツサーバ１００は、さらに、認証部１０４、および決定部１０５を備えた点において、相違する。
【００６８】
認証部１０４は、周辺機器３０から受信した受信電話番号と機器情報とを機器管理サーバ２００に送信し、周辺機器３０の認証を行う。認証は、送受信部１０１を介して、認証部１０４から送信された受信電話番号と機器情報との組み合わせを機器管理サーバ２００が記憶しているか否かにより行う。周辺機器３０が認証された場合には、認証部１０４は、送受信部１０１を介して、周辺機器３０から受信した送信電話番号を決定部１０５に送信する。一方、周辺機器３０が認証されなかった場合には、認証部１０４は処理を終了し、周辺機器３０にコンテンツは表示されない。このとき、周辺機器３０に認証がされなかった旨のメッセージを出力してもよい。
【００６９】
決定部１０５は、認証部１０４にて認証された周辺機器３０が複数ある場合に、コンテンツを送信する周辺機器３０を決定する。認証部１０４にて認証された周辺機器３０が１つである場合には、認証部１０４から受信した送信電話番号を検索部１０２に送信する。認証された周辺機器３０が複数ある場合には、例えば、あらかじめ設定された周辺機器の種類に応じた優先順位に基づいて、１の周辺機器３０を決定する。この場合、決定部１０５は、認証部１０４から送信電話番号とともに機種情報を受信する必要がある。
【００７０】
また、機器管理サーバ２００が機器情報に優先順位を付けて記憶している場合には、決定部１０５は、機器管理サーバ２００から取得された優先順位に基づいて、１の周辺機器３０を決定する。この場合、認証部１０４は、認証の際に機器管理サーバ２００から優先順位を取得し、送信電話番号と併せて優先順位を決定部１０５に送信する。
【００７１】
記憶部１０３は、コンテンツに機器情報を対応付けて記憶してもよい。この場合、検索部１０２は、認証部１０４および決定部１０５から機器情報を取得し、送信電話番号とともに機器情報も検索条件として、記憶部１０３を検索する。それにより、周辺機器３０の種類に適したコンテンツを周辺機器３０に表示させることができる。
【００７２】
以上説明したように、第２の実施形態によれば、受信端末２０が周辺機器３０を検索することにより、受信端末２０と通信可能な周辺機器３０にコンテンツを表示することができ、さらに、受信端末２０の機能に制限されずに、ユーザが閲覧しやすい状態で、コンテンツを表示することができる。また、受信端末２０と通信可能な周辺機器３０が複数ある場合に、その中からコンテンツを表示する周辺機器３０を自動的に決定することができる。さらに、受信端末と通信可能な周辺機器３０が複数ある場合に、ユーザがあらかじめ設定した優先順位にしたがって、その中からコンテンツを表示する周辺機器３０を自動的に決定することができる。
【００７３】
＜第３の実施形態＞
図６から図７を用いて、本発明の第３の実施形態について説明する。第３の実施形態の表示システム３は、端末管理サーバ３００と地図情報サーバ４００とが追加され、さらに、第１の実施形態におけるコンテンツサーバが不要である他は、第１の実施形態と同様な形態をしている。よって、前述した第１の実施形態と同様の機能を果たす部分には、同一の符号を付して、重複する説明を適宜省略する。
【００７４】
図６は、第３の実施形態に係る表示システム３の詳細を示す図である。第３の実施形態に係る表示システム３は、端末管理サーバ３００と地図情報サーバ４００とをさらに備えた点において、相違する。
【００７５】
送信端末１０は、全地球測位システム（ＧＰＳ＝Ｇｌｏｂａｌ  Ｐｏｓｉｔｉｏｎｉｎｇ  Ｓｙｓｔｅｍ）などの現在位置取得機能をさらに、備える。送信端末１０は、受信端末２０へ自己の電話番号（送信電話番号）を送信した後、端末管理サーバ３００に自己の位置情報を送信する。ここで、位置情報とは、ＧＰＳ機能により取得した、送信端末１０の緯度経度、住所などの情報である。
【００７６】
端末管理サーバ３００は、送信端末１０の位置情報を管理する。端末管理サーバ３００は、送信端末１０から、送信電話番号、受信電話番号、および位置情報を受信し、記憶する。また、端末管理サーバ３００は、周辺機器３０から送信電話番号、受信電話番号、および周辺機器３０のＩＰアドレスを受信し、周辺機器３０のＩＰアドレスと位置情報とを地図情報サーバ４００に送信する。
【００７７】
地図情報サーバ４００は、周辺機器３０に表示する地図情報を管理する。地図情報サーバ４００は、端末管理サーバ３００から、位置情報と周辺機器３０のＩＰアドレスを受信し、地図情報を検索する。また、地図情報サーバ４００は、周辺機器３０のＩＰアドレスに基づいて、検索された地図情報を周辺機器３０に送信する。
【００７８】
図７は、第３の実施形態に係る端末管理サーバ３００および地図情報サーバ４００の構成を示す図である。端末管理サーバ３００は、送受信部３０１、検索部３０２、および端末情報記憶部３０３を備える。
【００７９】
端末情報記憶部３０３は、送受信部３０１を介して送信端末１０から受信した、送信電話番号、受信電話番号、および位置情報を対応付けて記憶する。
【００８０】
検索部３０２は、送受信部３０１を介して周辺機器３０から受信した送信電話番号と受信電話番号とを検索条件として端末情報記憶部３０３を検索し、位置情報を取得する。
【００８１】
送受信部３０１は、送信端末１０から受信した、送信電話番号、受信電話番号、および位置情報を端末情報記憶部３０３に送信する。また、送受信部３０１は、周辺機器３０から受信した送信電話番号と受信電話番号とを検索部３０２に送信して位置情報を要求し、取得された位置情報と周辺機器３０から受信した周辺機器３０のＩＰアドレスを地図情報サーバ４００へ送信する。
【００８２】
地図情報サーバ４００は、送受信部４０１、取得部４０２、および地図情報記憶部４０３を備える。地図情報記憶部４０３は、地図画像データが格納されている。この地図画像データには、地図画像に表示されている場所の位置情報、例えば、緯度および経度や住所が対応つけられている。具体的には、地図画像データには、地図画像データに表示される建物や道路などであって、あらかじめ定められた対象の位置情報や、地図画像データの表示範囲を示す位置情報が対応付けられている。なお、地図画像データは、ベクトルデータ形式で記憶されてもよいし、ビットマップ形式やＪＰＥＧデータ形式などのラスタデータ形式で記憶されてもよい。
【００８３】
取得部４０２は、送受信部４０１を介して、端末管理サーバ３００から取得した位置情報に基づいて、地図情報記憶部４０３から地図情報を取得する。具体的には、地図画像データに対応付けられている位置情報を参照し、端末管理サーバ３００から取得した位置情報を含む地図画像データを取得する。複数の地図画像データが取得された場合には、あらかじめ設定された条件にしたがって、１の地図画像データを選択する。条件の具体例としては、端末管理サーバ３００から取得した位置情報が地図画像データの中心点の位置情報と最も近いことなどがある。
【００８４】
送受信部４０１は、端末管理サーバ３００から受信した位置情報を取得部４０２に送信し、地図情報を要求する。また、送受信部４０１は、取得部４０２から地図情報を取得し、端末管理サーバ３００から受信した周辺機器３０のＩＰアドレスに基づいて、周辺機器３０に地図情報を送信する。なお、送受信部４０１は、地図情報と併せて、位置情報を周辺機器３０に送信してもよい。
【００８５】
以上説明したように、第３の実施形態によれば、受信端末２０とは別の周辺機器３０に、送信端末１０の位置を示す地図情報を表示することにより、受信端末２０の機能に制限されずに、ユーザが閲覧しやすい状態で、送信端末１０の位置を示す地図情報を表示することができる。
【００８６】
＜第４の実施形態＞
図８から図９を用いて、本発明の第４の実施形態について説明する。第４の実施形態の表示システム４は、端末管理サーバ５００、ＳＩＰ（Ｓｅｓｓｉｏｎ  Ｉｎｉｔｉａｔｉｏｎ  Ｐｒｏｔｏｃｏｌ）サーバ６００、送信側周辺機器４０、受信側周辺機器５０が追加され、さらに、第１の実施形態におけるコンテンツサーバ、周辺機器が不要である他は、第１の実施形態と同様な形態をしている。よって、前述した第１の実施形態と同様の機能を果たす部分には、同一の符号を付して、重複する説明を適宜省略する。なお、受信側周辺機器５０は、第１の実施形態における周辺機器と同じ位置にあるが、異なる機能を有するため別の名称および符号とした。
【００８７】
図８は、第４の実施形態に係る表示システム４の詳細を示す図である。第４の実施形態に係る表示システム４は、端末管理サーバ５００、ＳＩＰサーバ６００、送信側周辺機器４０、および受信側周辺機器５０をさらに備えた点において、相違する。
【００８８】
送信端末１０は、受信端末２０へ自己の電話番号（送信電話番号）を送信した後、送信側周辺機器４０へ自己の電話番号（送信電話番号）と受信電話番号とを送信する。
【００８９】
送信側周辺機器４０は、送信端末１０から受信した送信電話番号、受信電話番号、および自己のＩＰアドレスとを、端末管理サーバ５００へ送信する。また、送信側周辺機器４０は、ＳＩＰサーバ６００を介して、受信側周辺機器５０と画像の送受信を行う。図８では、説明の便宜上、送信側周辺機器４０と受信側周辺機器５０とに分けて図示しているが、いずれの周辺機器もユーザの使用状況によって、送信側周辺機器４０か、受信側周辺機器５０かになることができる。
【００９０】
端末管理サーバ５００は、送信側周辺機器４０のＩＰアドレスを管理する。端末管理サーバ５００は、送信側周辺機器４０から、送信電話番号、受信電話番号、および送信側周辺機器４０のＩＰアドレスを受信し、記憶する。また、受信側周辺機器５０から送信電話番号、受信電話番号、および受信側周辺機器５０のＩＰアドレスを受信し、受信側周辺機器５０に送信側周辺機器のＩＰアドレスを送信する。
【００９１】
ＳＩＰサーバ６００は、ＳＩＰ（Ｓｅｓｓｉｏｎ  Ｉｎｉｔｉａｔｉｏｎ  Ｐｒｏｔｏｃｏｌ）と呼ばれるプロトコルを利用して、通話（セッション）の確立や終了をつかさどるサーバである。第４の実施形態に係る表示システム４では、ＳＩＰサーバ６００は、受信側周辺機器５０から送信側周辺機器４０のＩＰアドレスを受信すると、送信側周辺機器４０を呼び出し、受信側周辺機器５０と送信側周辺機器４０との間のセッションを確立する。
【００９２】
受信側周辺機器５０は、受信端末２０から送信電話番号と受信電話番号とを受信し、受信した送信電話番号および受信電話番号と自己のＩＰアドレスとを端末管理サーバ５００に送信し、送信側周辺機器４０のＩＰアドレスを要求する。また、受信側周辺機器５０は、端末管理サーバ５００から受信した送信側周辺機器４０のＩＰアドレスをＳＩＰサーバ６００に送信し、ＳＩＰサーバ６００を介して、送信側周辺機器４０と画像の送受信を開始する。
【００９３】
図９は、第４の実施形態に係る受信側周辺機器５０および端末管理サーバ５００の構成を示す図である。端末管理サーバ５００は、送受信部５０１、検索部５０２、および記憶部５０３を備える。記憶部５０３は、送受信部５０１を介して送信側周辺機器４０から受信した、送信電話番号、受信電話番号、および送信側周辺機器４０のＩＰアドレスを対応付けて記憶する。
【００９４】
検索部５０２は、送受信部５０１を介して受信側周辺機器５０から受信した、送信電話番号と受信電話番号とを検索条件として記憶部５０３を検索し、送信側周辺機器４０のＩＰアドレスを取得する。
【００９５】
送受信部５０１は、送信側周辺機器４０から受信した、送信電話番号、受信電話番号、および送信側周辺機器のＩＰアドレスを記憶部５０３に送信する。また、送受信部５０１は、受信側周辺機器５０から受信した送信電話番号と受信電話番号とを検索部５０２に送信して送信側周辺機器４０のＩＰアドレスを要求し、取得された送信側周辺機器４０のＩＰアドレスを受信側周辺機器５０のＩＰアドレスに基づいて、受信側周辺機器５０に送信する。
【００９６】
受信側周辺機器５０は、送受信部５１、通信部５２、および撮像部５３を備える。送受信部５１は、受信端末２０から受信した送信電話番号および受信電話番号と自己のＩＰアドレスとを端末管理サーバ５００に送信し、送信側周辺機器４０のＩＰアドレスを要求する。そして、送受信部５１は、端末管理サーバ５００から取得した送信側周辺機器４０のＩＰアドレスを通信部５２に送信する。
【００９７】
通信部５２は、送受信部５１から受信した送信側周辺機器４０のＩＰアドレスをＳＩＰサーバ６００に送信する。通信部５２は、ＳＩＰサーバ６００により送信側周辺機器４０との間のセッションが確立されると、撮像部５３にて撮影された撮像画像を送信側周辺機器４０へ送信する。なお、撮像画像には、静止画像および動画像を含む。
【００９８】
撮像部５３は、例えばカメラなどであり、通信部５２からの撮像要求に応じて、対象物を撮像して撮像データを得る。
【００９９】
以上説明したように、第４の実施形態によれば、送信端末１０とは別の送信側周辺機器４０および受信端末２０とは別の受信側周辺機器５０を用いて、撮像画像をお互いに配信および表示することができる。よって、送信端末１０および受信端末２０の機能に制限されず、かつ、ユーザが閲覧しやすい状態で、撮像画像を表示することができる。
【０１００】
＜第５の実施形態＞
図１０から図１１を用いて、本発明の第５の実施形態について説明する。第５の実施形態の表示システム５は、端末管理サーバ７００、音声認識サーバ８００、コンテンツサーバ９００、送信側周辺機器４０、および受信側周辺機器５０が追加される他は、第１の実施形態と同様な形態をしている。よって、前述した第１の実施形態と同様の機能を果たす部分には、同一の符号を付して、重複する説明を適宜省略する。なお、受信側周辺機器５０は、第１の実施形態における周辺機器３０と同じ位置にあるが、異なる機能を有するため別の名称および符号とした。
【０１０１】
図１０は、第５の実施形態に係る表示システム５の詳細を示す図である。第５の実施形態に係る表示システム５は、端末管理サーバ７００、音声認識サーバ８００、送信側周辺機器４０、受信側周辺機器５０、およびコンテンツサーバ９００をさらに備えた点において、相違する。なお、コンテンツサーバ９００はあってもなくてもよい。
【０１０２】
送信端末１０および受信端末２０は、音声を入力する入力部（図示せず）、例えば、マイクをさらに備える。
【０１０３】
端末管理サーバ７００は、送信側周辺機器４０のＩＰアドレスと音声認識サーバ８００のＩＰアドレスとを管理する。端末管理サーバ７００は、送信側周辺機器４０から、送信電話番号、受信電話番号、および送信側周辺機器４０のＩＰアドレスを受信し、記憶する。なお、端末管理サーバ７００は、ユーザなどの操作により音声認識サーバ８００のＩＰアドレスをあらかじめ記憶する。また、受信側周辺機器５０から送信電話番号、受信電話番号、および受信側周辺機器５０のＩＰアドレスを受信し、受信側周辺機器５０に送信側周辺機器４０のＩＰアドレスと音声認識サーバ８００のＩＰアドレスとを送信する。音声認識サーバ８００のＩＰアドレスは、端末管理サーバ７００が管理し、送信側周辺機器４０および受信側周辺機器５０は端末管理サーバ７００から取得しているが、送信側周辺機器４０および受信側周辺機器５０がそれぞれ管理してもよい。それにより、端末管理サーバ７００から送信側周辺機器４０への通信をなくすことができる。
【０１０４】
音声認識サーバ８００は、送信端末１０および受信端末２０から受信した音声情報を文字列に変換する。また、音声認識サーバ８００は、文字列を送信側周辺機器４０および受信側周辺機器５０に送信する。さらに、表示システム５がコンテンツサーバ９００を備える場合には、音声認識サーバ８００は、コンテンツサーバ９００に文字列を送信する。
【０１０５】
送信側周辺機器４０は、送信端末１０から受信した送信電話番号および受信電話番号と自己のＩＰアドレスとを、端末管理サーバ７００へ送信し、端末管理サーバ７００から音声認識サーバ８００のＩＰアドレスを取得する。また、送信側周辺機器４０は、端末管理サーバ７００から受信した音声認識サーバ８００アドレスを送信端末１０に送信する。
【０１０６】
受信側周辺機器５０は、受信端末２０から受信した送信電話番号および受信電話番号と自己のＩＰアドレスを端末管理サーバ７００に送信し、送信側周辺機器４０および音声認識サーバ８００のＩＰアドレスを要求する。また、受信側周辺機器５０は、端末管理サーバ７００から受信した音声認識サーバ８００のＩＰアドレスを受信端末２０に送信する。さらに、表示システム５がコンテンツサーバ９００を備える場合には、受信側周辺機器５０は、音声認識サーバ８００に送信側周辺機器および自己のＩＰアドレスを送信する。
【０１０７】
コンテンツサーバ９００は、送信側周辺機器４０および受信側周辺機器５０に表示するコンテンツを管理する。コンテンツサーバ９００は、あらかじめ単語とコンテンツとを対応付けて記憶している。なお、コンテンツは単語に関連するものであり、単語は複数の単語の組み合わせであってもよい。また、コンテンツサーバ９００は、音声認識サーバ８００から、文字列と、送信側周辺機器４０のＩＰアドレスおよび受信側周辺機器５０のＩＰアドレスとを受信すると、送信側周辺機器４０および受信側周辺機器５０にコンテンツを送信する。
【０１０８】
図１１は、端末管理サーバ７００の構成を示す図である。端末管理サーバ７００は、送受信部７０１、検索部７０２、および記憶部７０３を備える。記憶部７０３は、送受信部７０１を介して送信側周辺機器４０から受信した、送信電話番号、受信電話番号、および送信側周辺機器４０のＩＰアドレスを対応付けて記憶する。また、記憶部７０３は、音声認識サーバ８００のＩＰアドレスを記憶する。なお、音声認識サーバ８００のＩＰアドレスを送信電話番号と受信電話番号との組み合わせ毎に記憶してもよい。それにより、通話毎に異なった音声認識サーバ８００を利用することができる。
【０１０９】
検索部７０２は、送受信部７０１を介して受信側周辺機器５０から受信した、送信電話番号と受信電話番号とを検索条件として記憶部７０３を検索し、送信側周辺機器４０のＩＰアドレスを取得する。また、検索部７０２は、記憶部７０３から音声認識サーバ８００のＩＰアドレスを取得する。
【０１１０】
送受信部７０１は、送信側周辺機器４０から受信した、送信電話番号、受信電話番号、および送信側周辺機器のＩＰアドレスを記憶部７０３に送信する。また、送受信部７０１は、受信側周辺機器５０から受信した送信電話番号と受信電話番号とを検索部７０２に送信して送信側周辺機器４０のＩＰアドレスを要求し、受信側周辺機器５０のＩＰアドレスに基づいて、取得された送信側周辺機器４０のＩＰアドレスと音声認識サーバ８００のＩＰアドレスとを受信側周辺機器５０に送信する。
【０１１１】
図１２は、第５の実施形態に係る音声認識サーバ８００およびコンテンツサーバ９００の構成を示す図である。音声認識サーバ８００は、送受信部８０１、および変換部８０２を備える。変換部８０２は、送受信部８０１を介して、送信端末１０または受信端末２０から受信した音声情報を文字列に変換する。
【０１１２】
送受信部８０１は、送信端末１０および受信端末２０から音声情報を受信する。また、送受信部８０１は、変換部８０２で取得された文字列を送信側周辺機器４０および受信側周辺機器５０のＩＰアドレスに基づいて、送信側周辺機器４０および受信側周辺機器５０に送信する。このとき、文字列が送信端末１０または受信端末２０のいずれかのユーザにより発せられた音声情報であるかを合わせて送信してもよい。
【０１１３】
コンテンツサーバ９００は、送受信部９０１、検索部９０２、および記憶部９０３を備える。記憶部９０３は、単語とコンテンツとを対応付けて記憶している。
【０１１４】
検索部９０２は、第１の実施形態と同様にコンテンツを検索する機能を有するが、音声認識サーバ８００から受信した文字列を検索条件として記憶部９０３を検索し、コンテンツを取得する点で異なる。検索部９０２は、文字列に含まれる単語と対応付けられているコンテンツを取得する。なお、文字列すべての単語を検索条件としてもよいし一部であってもよい。
【０１１５】
以上説明したように、第５の実施形態によれば、送信側周辺機器４０と受信側周辺機器５０とを用いて、文字列に変換された音声情報を表示することができ、受信端末２０および送信端末１０の機能に制限されず、ユーザに閲覧しやすい状態で、ユーザが端末を介して行った会話の内容を文字で表示することができる。また、ユーザが端末に対し発した音声の内容と関連するコンテンツを周辺機器に表示することができる。
【０１１６】
＜第６の実施形態＞
図１３から図１４を用いて、本発明の第６の実施形態について説明する。第６の実施形態の表示システム６は、送信側周辺機器４０が追加される他は、第１の実施形態と同様な形態をしている。よって、前述した第１の実施形態と同様の機能を果たす部分には、同一の符号を付して、重複する説明を適宜省略する。また、図１３では、説明の便宜上、送信側周辺機器４０と受信側周辺機器５０とに分けて図示しているが、いずれの端末もユーザの使用状況によって、送信側周辺機器４０か、受信側周辺機器５０かになることができる。
【０１１７】
図１３は、第６の実施形態に係る表示システム６の詳細を示す図である。本実施形態に係る表示システム６は、送信側周辺機器４０をさらに備えた点において、相違する。
【０１１８】
送信側周辺機器４０は、送信端末１０から受信した送信電話番号と自己のＩＰアドレスとを、コンテンツサーバ１０００へ送信し、コンテンツを要求する。なお、送信側周辺機器４０は、送信端末１０から受信電話番号も受信し、送信電話番号および自己のＩＰアドレスと併せてコンテンツサーバ１０００に送信してもよい。また、送信側周辺機器４０は、表示部（図示せず）を備え、コンテンツを表示する。表示部は、コンテンツサーバ１０００からコンテンツを受信した場合には受信したコンテンツを表示し、コンテンツサーバ１０００からコンテンツに関する情報を受信した場合には、受信したコンテンツ情報に基づいて通信ネットワーク上から取得したコンテンツを表示する。
【０１１９】
送信端末１０は、送信側周辺機器４０に表示されたコンテンツのうち、ユーザが選択したコンテンツのコンテンツ識別情報、送信電話番号、および受信電話番号をコンテンツサーバ１０００に送信する。コンテンツ識別情報とは、コンテンツサーバ１０００の記憶部に記憶されているコンテンツを識別するための情報であって、例えばＩＤである。
【０１２０】
コンテンツサーバ１０００は、送信端末１０から受信したコンテンツ識別情報に基づいて決定したコンテンツを受信側周辺機器５０に送信する。なお、コンテンツサーバ１０００は、送信端末１０からコンテンツ識別情報を取得する前に、受信側周辺機器５０にあらかじめ決められたコンテンツを送信してもよい。
【０１２１】
受信側周辺機器５０は、受信端末２０から送信電話番号と受信電話番号とを受信し、受信した送信電話番号および受信電話番号と自己のＩＰアドレスとをコンテンツサーバ１０００に送信し、コンテンツを要求する。コンテンツサーバ１０００からコンテンツを受信すると、表示部に受信したコンテンツを表示する。
【０１２２】
図１４は、第６の実施形態に係るコンテンツサーバ１０００および受信側周辺機器５０の構成を示す図である。コンテンツサーバ１０００は、送受信部１００１、検索部１００２、および記憶部１００３を備える。記憶部１００３は、コンテンツとコンテンツ識別情報とを対応付けて記憶している。なお、記憶部１００３は、コンテンツを送信電話番号および受信電話番号と対応付けて記憶してもよい。
【０１２３】
検索部１００２は、送受信部１００１を介して送信端末１０から受信したコンテンツ識別情報を検索条件として記憶部１００３を検索し、コンテンツを取得する。また、検索部１００２は、送受信部１００１が受信側周辺機器５０から受信側周辺機器５０のＩＰアドレスを受信した場合には、あらかじめ決められたコンテンツを取得してもよい。さらに、検索部１００２は、送信側周辺機器４０から送信電話番号と受信電話番号とを受信した場合には、受信した送信電話番号と受信電話番号とを検索条件として記憶部１００３を検索し、コンテンツを取得する。
【０１２４】
送受信部１００１は、送信側周辺機器４０から送信側周辺機器４０のＩＰアドレスを受信すると、送信側周辺機器４０にコンテンツを送信する。また、送受信部１００１は、送信端末１０から受信したコンテンツ識別情報を検索部１００２に送信し、コンテンツを取得する。送受信部１００１は、受信側周辺機器５０から受信側周辺機器５０のＩＰアドレスを受信したことに応じて、受信側周辺機器５０から受信した送信電話番号と受信電話番号と、送信端末１０から受信した送信電話番号と受信電話番号と一致するか否か判断し、一致する場合に取得したコンテンツを受信側周辺機器５０に送信する。
【０１２５】
受信側周辺機器５０は送受信部５４、変更部５５と、表示部５６とを備える。送受信部５４は、受信端末２０から受信した送信電話番号および受信電話番号と自己のＩＰアドレスとをコンテンツサーバ１０００に送信し、コンテンツを要求する。そして、送受信部５４は、コンテンツサーバ１０００からコンテンツを取得する。
【０１２６】
変更部５５は、送受信部５４を介してコンテンツサーバ１０００から新たなコンテンツを受信すると、表示部５６に表示されているコンテンツの表示を終了させ、新たなコンテンツを表示部に表示させる。
【０１２７】
表示部５６は、変更部５５から送信されたコンテンツを表示する。
【０１２８】
以上説明したように、第６の実施形態によれば、送信側周辺機器４０と受信側周辺機器５０を用いて、送信端末１０のユーザがコンテンツを選択することができ、受信端末２０および送信端末１０の機能に制限されず、ユーザに閲覧しやすい状態で、送信端末１０のユーザが選択したコンテンツを受信側周辺機器５０に表示することができる。また、送信端末１０のユーザの要求にしたがって、受信側周辺機器５０のコンテンツ表示を変更することができ、受信側周辺機器５０に対し、インタラクティブなコンテンツ配信をすることができる。
【０１２９】
以上、この発明の実施形態につき、図面を参照して詳述してきたが、具体的な構成はこの実施形態に限られるものではなく、この発明の要旨を逸脱しない範囲の設計なども含まれる。なお、各実施形態および変形形態は、適宜組み合わせて用いることもできるが、詳細な説明は省略する。
【符号の説明】
【０１３０】
１    表示システム
１０    送信端末
２０    受信端末
３０    周辺機器
１００    コンテンツサーバ
【図１】
0005503821.tif 000002
【図２】
0005503821.tif 000003
【図３】
0005503821.tif 000004
【図４】
0005503821.tif 000005
【図５】
0005503821.tif 000006
【図６】
0005503821.tif 000007
【図７】
0005503821.tif 000008
【図８】
0005503821.tif 000009
【図９】
0005503821.tif 000010
【図１０】
0005503821.tif 000011
【図１１】
0005503821.tif 000012
【図１２】
0005503821.tif 000013
【図１３】
0005503821.tif 000014
【図１４】
0005503821.tif 000015